(57)【要約】【課題】表示装置と操作装置の識別情報の一致不一致を容易かつ自由に設定することを可能にした表示装置および操作装置を提供すること。【解決手段】  操作装置から出力された操作信号に従って処理を実行させる制御部を備え、操作装置と表示装置の識別情報によって処理の実行、非実行を決定する表示装置であって、操作装置からの特定の信号の受信により、表示装置を接続設定状態とし、 表示装置にランダムで操作装置に存在する操作を表示し、 表示された操作と同じ操作を実行させるための信号を受信した場合は、表示装置の識別情報を操作装置と一致させ、 表示された操作と別の操作を実行させるための信号を受信した場合は、表示装置の識別情報を操作装置の識別情報と不一致とすることを特徴とする。【選択図】図１
2016143928.tif 000002
【特許請求の範囲】
【請求項１】
操作装置から出力された操作信号に従って処理を実行させる制御部を備え、操作装置と表示装置の識別情報によって処理の実行、非実行を決定する表示装置であって、操作装置からの特定の信号の受信により、表示装置を接続設定状態とし、 表示装置にランダムで操作装置に存在する操作を表示し、 表示された操作と同じ操作を実行させるための信号を受信した場合は、表示装置の識別情報を操作装置と一致させ、 表示された操作と別の操作を実行させるための信号を受信した場合は、表示装置の識別情報を操作装置の識別情報と不一致とすることを特徴とする表示装置。
【請求項２】
前期表示装置にランダムで表示する操作を少なくとも２つ表示することを特徴とする請求項１記載の表示装置。
【請求項３】
特定回数特定の信号を受信した際に表示装置にあらかじめ設定した操作を表示することを特徴とする請求項１記載の表示装置。
【請求項４】
特定の信号の受信によって表示される操作ボタンの順をあらかじめ設定することができることを特徴とする請求項１記載の表示装置。
【請求項５】
仮接続状態と非接続状態を備え、表示装置表示された操作に対し、同じ操作を実行させるための信号を受信した場合は表示装置を仮接続状態とし、表示された操作と別の操作を実行させるための信号を受信し、かつ仮接続状態でない場合は、非接続状態とする。その後、決定信号を受信した際に、仮接続状態の場合、表示装置の識別情報を操作装置の識別情報と一致させ、 非接続状態の場合、表示装置の識別情報を操作装置の識別情報と不一致とすることを特徴とする表示装置。
【発明の詳細な説明】
【技術分野】
【０００１】
本発明は、表示装置およびその操作装置に関する。
【背景技術】
【０００２】
従来、操作装置を用いて表示装置と通信する場合、操作装置の識別情報と表示装置の識別情報を合わせる必要がある。しかしながら、識別情報を変更するためには、 表示装置毎に決まっている識別情報の切り替え方法を知っている必要がある。 
【０００３】
従来、表示装置と操作装置の識別情報の表示や、識別情報が複数の装置において同じ識別情報を持たないように設定する装置は知られている。特許文献１では、表示装置と操作装置に設定されている識別情報の一致不一致を表示、設定する方法が開示されている。また、特許文献２では、同じ識別情報を持たないように設定する方法が開示されている
【先行技術文献】
【特許文献】
【０００４】
【特許文献１】特開2008-102243号公報
【特許文献２】特開2006-94198号公報
【発明の概要】
【発明が解決しようとする課題】
【０００５】
しかしながら、上述の特許文献に開示された従来技術では、表示装置と操作装置の識別情報の一致不一致の表示および１台の識別情報の一致方法は提示されているが、複数起動状態での一致方法および不一致方法は提示されていない。また、自動的に識別情報を設定するため、柔軟な識別情報の設定ができない。
【０００６】
そこで、本発明の目的は、表示装置と操作装置の識別情報の一致不一致を容易かつ自由に設定することのできることが可能な表示装置およびその操作装置及びその制御方法を提供することにある。
【課題を解決するための手段】
【０００７】
上記の目的を達成するために、本発明は、操作装置から出力された操作信号に従って処理を実行させる制御部を備え、操作装置と表示装置の識別情報によって処理の実行、非実行を決定する表示装置であって、操作装置からの特定の信号の受信により、表示装置を接続設定状態とし、表示装置にランダムで操作装置に存在する操作を表示し、表示された操作と同じ操作を実行させるための信号を受信した場合は、表示装置の識別情報を操作装置と一致させ、 表示された操作と別の操作を実行させるための信号を受信した場合は、表示装置の識別情報を操作装置の識別情報と不一致とすることを特徴とする。
【発明の効果】
【０００８】
本発明によれば、表示装置と操作装置の識別情報の一致不一致を容易かつ自由に設定することを可能にした表示装置および操作装置を提供することができる。
【図面の簡単な説明】
【０００９】
【図１】本発明の表示装置のブロック図である。
【図２】実施例１の表示例である。
【図３】実施例１のフローチャートである。
【図４】実施例２のフローチャートである。
【図５】実施例３の設定例である。
【図６】実施例４のフローチャートである。
【発明を実施するための形態】
【００１０】
以下に、本発明の好ましい実施の形態を、添付の図面に基づいて詳細に説明する。
【００１１】
［実施例１］
図１は実施例１にかかわる表示装置１００のブロック図である。表示装置１００は、操作信号受信部１０１に操作信号を受信した際制御部１０２にて受信した信号に付加されている識別情報と表示装置１００の持つ識別情報を比較し、付加されている識別情報と表示装置１００の持つ識別情報が同じであれば、受信した信号に合わせて処理を行う。表示装置１００は操作部１０６からの操作に対しても同様の処理を行う。表示装置１００は特定の信号を受信すると、制御部１０２が表示操作信号生成部１０３に操作信号表示部１０４に表示する操作を生成し、操作信号表示部１０４へ生成した操作を表示させる。
【００１２】
本実施例では特定の信号は、接続設定を実行するための信号である。接続設定を実行するための操作は特定のボタンでも複数のボタンの組み合わせでも特定のボタンの長押しでももちろんかまわない。操作装置２００は操作部２０１の操作を受けると、制御部２０２は操作装置２００の持つ識別情報と操作に対応する信号を組み合わせ、操作信号送信部２０３で操作信号を送信する。図２は、操作信号表示部１０４へ生成した操作を表示した際の例である。操作信号３００ａ〜３００ｃは操作を表す言葉や絵であり、操作装置２００に存在する操作である。
【００１３】
図３は実施例１の表示装置の制御に関するフローチャートである。図３を用いて実施例について説明を行う。本実施例は、接続設定信号を操作装置２００から送信し、表示装置１００が受信するところから始まる。まず、接続設定信号を受信する（１０）。
【００１４】
次に、表示装置１００の状態を接続設定状態にする（１１）接続設定状態のときの表示装置１００は操作装置の識別情報にかかわらず操作信号を受信する状態となる。ただし、操作信号に対応する処理は行わない。そして、操作装置の持つ操作の中からランダムにひとつ操作を生成し（１２）、生成した操作を表示する（１３）。操作を表示すると表示装置１００は信号待ちの状態となる。
【００１５】
このとき、接続設定信号をもう一度受信した場合はステップ１２に戻る。（１４）接続設定信号以外の信号を受信し、かつ表示装置１００に表示されている操作に対応する操作信号を受信した場合は（１５）、表示装置１００の識別情報を操作装置２００の識別情報と同じにし、表示装置は通常の状態とする。（１６）表示されている操作と異なる操作を受信した場合は（１５）、表示装置１００の識別情報を操作装置２００の識別情報と異ならせ、表示装置は通常の状態とする。
【００１６】
本実施例によれば、表示装置と操作装置の識別情報の一致不一致を容易かつ自由に設定することを可能にした表示装置および操作装置を提供することができる。簡単のためにひとつの表示装置と操作装置を例にして説明したが、複数の表示装置と操作装置であっても同様の効果を得る。
【００１７】
［実施例２］
図４は実施例２のフローチャートである。実施例１との違いはランダムで生成する操作が複数生成表示されることである。複数の操作を生成することで、ランダム生成による表示操作の一致を低減することができる。
【００１８】
本実施例においても、表示装置と操作装置の識別情報の一致不一致を容易かつ自由に設定することを可能にした表示装置および操作装置を提供することができる。
【００１９】
［実施例３］
実施例３は、接続設定信号の受信した場合に操作を生成する際にランダムとあらかじめ設定しておいた操作を表示することを組み合わせている点が実施例１と相違する。本実施例は、表示装置にあらかじめ接続設定信号の受信の特定回数目に特定の操作を表示するように設定しておく。たとえば３回目にMENUと設定しておくと、図３のステップ１４の３回目はランダムで操作を生成するのではなくMENUが表示されるようになる。特定の回数接続設定信号を送信することで決まった操作が表示されるようになり、特定の表示装置と操作装置の識別情報を容易に一致させることができる。
【００２０】
本実施例においても、表示装置と操作装置の識別情報の一致不一致を容易かつ自由に設定することを可能にした表示装置および操作装置を提供することができる。
【００２１】
［実施例４］
実施例４は接続設定信号の受信した場合に操作を生成する際にランダムとあらかじめ設定しておいた操作を表示する点が実施例１と相違する。複数の表示装置に対して識別情報の一致不一致を設定し、かつ特定の表示装置の組で一致不一致を切り替えたい場合に、あらかじめ接続設定信号に対応して表示される操作を設定しておくことで容易に設定が可能となる。図５は、実施例４の接続設定信号に対応して表示される操作の設定例である。
【００２２】
図５を用いて実施例４を説明する。図５では表示装置が３つあり、それを１つの操作装置で操作しようとしている。表示装置１(Pj1)は接続設定信号が押されるたびにSHIFT、FOCUS、ZOOM、MENUの順で表示される。表示装置２(Pj2)は接続設定信号が押されるたびにIMAGE、FOCUS、MENU、INPUTの順で表示される。表示装置３(Pj3)は接続設定信号が押されるたびにGAMMA、MENU、ZOOM、INPUTの順で表示される。このとおき操作装置から接続設定信号が送信されると、表示装置１〜３はそれぞれ、SHIFT、IMAGE、GAMMAが表示される。
【００２３】
ここで、SHIFT信号を送信すると表示装置１のみ識別情報を一致させ他の表示装置を不一致とする。IMAGE信号を送信すると表示装置２のみ識別情報を一致させ他の表示装置を不一致とする。GAMMA信号を送信すると表示装置３のみ識別情報を一致させ他の表示装置を不一致とする。そして、もう一度接続設定信号が送信されると、表示装置１〜３はそれぞれ、FOCUS、FOCUS、MENUが表示される。ここでFOCUS信号を送信すると表示装置１と２の識別情報を一致させ表示装置３の表示装置を不一致とする。そして、もう一度接続設定信号が送信されると、表示装置１〜３はそれぞれ、ZOOM、MENU、ZOOMが表示される。
【００２４】
ここでZOOM信号を送信すると表示装置１と３の識別情報を一致させ表示装置２の表示装置を不一致とする。そして、もう一度接続設定信号が送信されると、表示装置１〜３はそれぞれ、MENU、INPUT、INPUTが表示される。ここでINPUT信号を送信すると表示装置２と３の識別情報を一致させ表示装置１の表示装置を不一致とする。このようにあらかじめ表示される操作を設定しておくことで一致不一致を自由に設定することができる。
【００２５】
本実施例においても、表示装置と操作装置の識別情報の一致不一致を容易かつ自由に設定することを可能にした表示装置および操作装置を提供することができる。本実施例では、設定する操作を４つとして説明したが、設定できる操作はいくつであってもよい。
【００２６】
［実施例５］
実施例５は、表示装置の状態として仮接続状態と非接続状態、状態確定信号によって識別情報の一致不一致を処理することが相違点である。
【００２７】
図６は実施例５のフローチャートである。図６のステップ３４までは、図３のステップ１４までと同様の処理である。ステップ３４で接続設定信号を受信せず、表示した操作信号を受信した場合、表示装置の状態を仮接続状態とする（３７）。仮接続状態になった表示装置は確定待ちとなる。ステップ３４で接続設定信号を受信せず、表示した操作信号を受信した場合、表示装置の状態を非接続状態とする。非接続状態は確定もしくは仮接続待ちとなる。ステップ３９で接続設定信号を受信した場合）、表示装置の状態が非接続状態もしくは接続設定状態の場合は、ステップ３２へと遷移する（３５）。
【００２８】
このとき仮接続状態の場合は、ステップ３９へと遷移する（３５）。ステップ３９で確定信号を受信した場合は、表示装置の状態が仮接続状態であれば、ステップ４１に遷移し、そうでなければステップ４２へ遷移する（４０）。ステップ４１では、操作装置の識別情報を操作装置の識別情報と一致させる。ステップ４２で表示装置の状態が非接続状態であれば、ステップ４３に遷移し、そうでなければ表示装置の識別情報は変更しない（４２）。ステップ４３では、操作装置の識別情報を操作装置の識別情報と不一致にする。これらの処理により、実施例１では不一致になってしまっていた表示装置も一致させることができるようになる。
【００２９】
本実施例においても、表示装置と操作装置の識別情報の一致不一致を容易かつ自由に設定することを可能にした表示装置および操作装置を提供することができる。
【００３０】
以上、本発明の好ましい実施形態について説明したが、本発明はこれらの実施形態に限定されず、その要旨の範囲内で種々の変形及び変更が可能である。
【符号の説明】
【００３１】
100  表示装置、101  操作信号受信部、102  制御部、103  表示操作信号生成部、
104  操作信号表示部、105  識別情報変更部、106  操作部、200  操作装置、
201  操作部、202  制御部、203  操作信号送信部、300a〜300c  操作信号
【図１】
2016143928.tif 000003
【図３】
2016143928.tif 000004
【図４】
2016143928.tif 000005
【図６】
2016143928.tif 000006
【図２】
2016143928.tif 000007
【図５】
2016143928.tif 000008